(57)【要約】【課題】ロープ点検の作業効率を向上させることができるエレベータ用ロープテスタ装置を得る。【解決手段】かご１を昇降させるエレベータロープ３を点検する際に用いられるエレベータ用ロープテスタ装置７であって、エレベータロープ３に沿って移動する移動体７１と、移動体７１に設けられ、エレベータロープ３に対する移動体７１の移動距離を測定する距離測定装置７２と、移動体７１に設けられ、エレベータロープ３を磁化させてエレベータロープ３における損傷部からの漏洩磁束を測定するロープテスタ７３とを備え、移動体７１がエレベータロープ３に沿って移動しながら、距離測定装置７２が移動距離を測定し、ロープテスタ７３が漏洩磁束を測定する。【選択図】図２
2017039559.tif 000002
【特許請求の範囲】
【請求項１】
かごを昇降させるエレベータロープを点検する際に用いられるエレベータ用ロープテスタ装置であって、
前記エレベータロープに沿って移動する移動体と、
前記移動体に設けられ、前記エレベータロープに対する前記移動体の移動距離を測定する距離測定装置と、
前記移動体に設けられ、前記エレベータロープを磁化させて前記エレベータロープにおける損傷部からの漏洩磁束を測定するロープテスタと
を備え、
前記移動体が前記エレベータロープに沿って移動しながら、前記距離測定装置が前記移動距離を測定し、前記ロープテスタが前記漏洩磁束を測定することを特徴とするエレベータ用ロープテスタ装置。
【請求項２】
前記移動体が自重によって前記エレベータロープにおける高さ方向に延びた部分に沿って降下しながら、前記距離測定装置が前記移動距離を測定し、前記ロープテスタが前記漏洩磁束を測定することを特徴とする請求項１に記載のエレベータ用ロープテスタ装置。
【請求項３】
前記距離測定装置は、前記エレベータロープの長手方向に離れて設けられた一対の押えローラと、前記長手方向について一対の前記押えローラの間に設けられ、前記長手方向に視た場合に前記エレベータロープの径方向について一対の前記押えローラとの間に前記エレベータロープが挟まれる距離測定ローラとを有し、
前記距離測定ローラは、前記長手方向に視た場合に前記径方向について一対の前記押えローラとの間の寸法が変化可能となっていることを特徴とする請求項１または請求項２に記載のエレベータ用ロープテスタ装置。
【請求項４】
前記ロープテスタの測定結果を前記距離測定装置の測定結果に対応させて記憶する記憶装置をさらに備えたことを特徴とする請求項１から請求項３までの何れか一項に記載のエレベータ用ロープテスタ装置。
【発明の詳細な説明】
【技術分野】
【０００１】
この発明は、エレベータロープを点検する際に用いられるエレベータ用ロープテスタ装置に関する。
【背景技術】
【０００２】
従来、かごを昇降させるエレベータロープにおける損傷部を検出するエレベータ用ロープテスタ装置であって、機械室に設置され、エレベータロープを磁化させてエレベータロープにおける損傷部からの漏洩磁束を測定するロープテスタを備えたエレベータ用ロープテスタ装置が知られている（例えば、特許文献１参照）。
【先行技術文献】
【特許文献】
【０００３】
【特許文献１】特開２００９−２０８９５４号公報
【発明の概要】
【発明が解決しようとする課題】
【０００４】
しかしながら、エレベータ用ロープテスタ装置を機械室に設置するので、設置作業に時間がかかってしまい、ロープ点検の作業効率が悪いという問題点があった。
【０００５】
この発明は、ロープ点検の作業効率を向上させることができるエレベータ用ロープテスタ装置を提供するものである。
【課題を解決するための手段】
【０００６】
この発明に係るエレベータ用ロープテスタ装置は、かごを昇降させるエレベータロープを点検する際に用いられるエレベータ用ロープテスタ装置であって、エレベータロープに沿って移動する移動体と、移動体に設けられ、エレベータロープに対する移動体の移動距離を測定する距離測定装置と、移動体に設けられ、エレベータロープを磁化させてエレベータにおける損傷部からの漏洩磁束を測定するロープテスタとを備え、移動体がエレベータロープに沿って移動しながら、距離測定装置が移動距離を測定し、ロープテスタが漏洩磁束を測定する。
【発明の効果】
【０００７】
この発明に係るエレベータ用ロープテスタ装置によれば、エレベータロープに沿って移動する移動体と、エレベータロープにおける移動体の移動距離を測定する距離測定装置と、エレベータロープを磁化させてエレベータロープにおける損傷部からの漏洩磁束を測定するロープテスタとを備え、移動体がエレベータロープに沿って移動しながら、距離測定装置が移動距離を測定し、ロープテスタが漏洩磁束を測定するので、エレベータ用ロープテスタ装置を機械室に設置することなく、エレベータロープを点検することができる。これにより、ロープ点検の作業効率を向上させることができる。
【図面の簡単な説明】
【０００８】
【図１】この発明の実施の形態１に係るエレベータを示す構成図である。
【図２】図１のエレベータ用ロープテスタ装置を示す正面図である。
【図３】図２のエレベータ用ロープテスタ装置を示す一部破断正面図である。
【図４】図２のエレベータ用ロープテスタ装置を示す平面図である。
【図５】図４のエレベータ用ロープテスタ装置の他の状態を示す平面図である。
【図６】図２の距離測定装置を示すブロック図である。
【図７】図１のかごを最下階に停止させた状態を示す構成図である。
【発明を実施するための形態】
【０００９】
実施の形態１．
図１はこの発明の実施の形態１に係るエレベータを示す構成図である。図において、エレベータは、昇降路１００を昇降するかご１と、かご１の昇降に連動して昇降路１００を昇降するつり合い重り２と、両端部が昇降路１００の天井１０１に接続され、かご１およびつり合い重り２を支持するエレベータロープ３と、エレベータロープ３を移動させる巻上機４と、天井１０１に回転可能に設けられた一対のかご側吊車５と、天井１０１に回転可能に設けられたつり合い重り側吊車６と、エレベータロープ３を点検する際に用いられるエレベータ用ロープテスタ装置７とを備えている。
【００１０】
かご１は、利用者が乗降するかご本体１１と、かご本体１１の下部に回転可能に設けられ、かご本体１１を支持する一対のかご用支持車１２とを有している。一対のかご用支持車１２には、エレベータロープ３が下方から巻き掛けられている。かご本体１１は、かご用支持車１２を介してエレベータロープ３に支持されている。エレベータロープ３が移動することによって、かご１が昇降路１００を昇降する。
【００１１】
つり合い重り２は、重り板および重り枠を有するつり合い重り本体２１と、つり合い重り本体２１の上部に回転可能に設けられ、つり合い重り本体２１を支持するつり合い重り用支持車２２とを有している。つり合い重り用支持車２２には、エレベータロープ３が下方から巻き掛けられている。つり合い重り本体２１は、つり合い重り用支持車２２を介してエレベータロープ３に支持されている。エレベータロープ３が移動することによって、つり合い重り２が昇降路１００を昇降する。
【００１２】
巻上機４は、昇降路１００の床１０２に設けられている。巻上機４は、巻上機用綱車４１を有している。巻上機用綱車４１には、エレベータロープ３が下方から巻き掛けられている。巻上機用綱車４１が回転することによって、エレベータロープ３が移動する。
【００１３】
一対のかご側吊車５には、エレベータロープ３が上方から巻き掛けられている。つり合い重り側吊車６にも、エレベータロープ３が上方から巻き掛けられている。
【００１４】
エレベータロープは、一対のかご用支持車１２、一対のかご側吊車５、巻上機用綱車４１、つり合い重り側吊車６およびつり合い重り用支持車２２の順に巻き掛けられている。
【００１５】
図２は図１のエレベータ用ロープテスタ装置７を示す正面図、図３は図２のエレベータ用ロープテスタ装置７を示す一部破断正面図、図４は図２のエレベータ用ロープテスタ装置７を示す平面図、図５は図４のエレベータ用ロープテスタ装置７の他の状態を示す平面図である。エレベータ用ロープテスタ装置７は、エレベータロープ３に沿って移動する移動体７１と、移動体７１に設けられ、エレベータロープ３に対する移動体７１の移動距離を測定する距離測定装置７２と、移動体７１に設けられ、エレベータロープ３を磁化させてエレベータロープ３における損傷部からの漏洩磁束を測定するロープテスタ７３と、移動体７１に設けられ、ロープテスタ７３の測定結果を距離測定装置７２の測定結果に対応させて記憶する記憶装置７４と、移動体７１に設けられた操作レバー７５と、操作レバー７５に接続され、作業者に把持される操作ロープ７６とを備えている。
【００１６】
移動体７１は、移動体本体７１１と、移動体本体７１１に対して回動可能に設けられた回動部７１２とを有している。回動部７１２は、回動することによって、移動体本体７１１に対向する閉位置と移動体本体７１１に対向しなくなる開位置との間で変位する。
【００１７】
移動体本体７１１における閉位置にある回動部７１２に対向する部分には、エレベータロープ３が挿入される溝７１３が形成されている。回動部７１２が閉位置にある場合に移動体本体７１１に対向する回動部７１２の部分には、エレベータロープ３が挿入される溝７１４が形成されている。回動部７１２が閉位置にある場合に、溝７１３および溝７１４からエレベータロープ３が挿入される貫通孔が移動体７１に形成される。
【００１８】
回動部７１２の位置が開位置にある状態で、エレベータロープ３を溝７１３に挿入し、その後、回動部７１２を開位置から閉位置に変位させることによって、エレベータロープ３が溝７１４に挿入され、これにより、エレベータロープ３が移動体７１に形成された貫通孔に挿入される。
【００１９】
また、移動体７１は、移動体本体７１１に回動可能に設けられた一対のロック７１５を有している。一対のロック７１５は、高さ方向に離れて配置されている。それぞれのロック７１５は、閉位置にある回動部７１２と係合して回動部７１２の位置が閉位置から開位置に変位することを規制する係合位置と、閉位置にある回動部７１２との係合が解除されて回動部７１２が閉位置から開位置に変位可能となる解除位置との間で変位する。
【００２０】
距離測定装置７２は、エレベータロープ３の長手方向に離れて設けられた一対の押えローラ７２１と、エレベータロープ３の長手方向について一対のローラ７２１の間に設けられ、エレベータロープ３の長手方向に視た場合にエレベータロープ３の径方向について一対のローラ７２１との間にエレベータロープ３が挟まれる距離測定ローラ７２２と、距離測定ローラ７２２の回転を抑制する減速ローラ７２３とを有している。
【００２１】
距離測定ローラ７２２は、エレベータロープ３の長手方向に視た場合に径方向について一対のローラ７２１との間の寸法が変化可能となっている。また、距離測定ローラ７２２と移動体本体７１１との間には、一対のローラ７２１との間の寸法が小さくなる方向に付勢するばね（図示せず）が設けられている。このばねの付勢力によって距離測定ローラ７２２は、エレベータロープ３に押し付けられる。これにより、エレベータロープ３に対して移動体７１が移動する場合に、距離測定ローラ７２２がエレベータロープ３を転動する。
【００２２】
図６は図２の距離測定装置７２を示すブロック図である。距離測定装置７２は、距離測定ローラ７２２の回転数を測定する回転数測定装置７２４と、回転数測定装置７２４の測定結果を用いて、エレベータロープ３に対する移動体７１の移動距離を算出する移動距離算出装置７２５とをさらに有している。移動距離算出装置７２５の算出結果は、距離測定装置７２の測定結果として、記憶装置７４に記憶される。
【００２３】
図示していないが、エレベータ用ロープテスタ装置７は、エレベータロープ３に対する移動体７１の移動を停止させる停止モードと、エレベータロープ３に対する移動体７１の移動が可能であって距離測定装置７２によって移動体７１の移動距離を測定する測定モードと、エレベータロープ３に対する移動体７１の移動が可能であって、距離測定装置７２による移動体７１の移動距離の測定が行われないフリーモードとの間で切り換えられるようになっている。フリーモードの場合には、距離測定ローラ７２２がエレベータロープ３から離れて配置される。したがって、フリーモードの場合には、移動体７１は、エレベータロープ３に対して、測定モードの場合よりもスムーズに移動することができる。
【００２４】
操作レバー７５は、操作されることによって、エレベータ用ロープテスタ装置７のモードを、停止モード、測定モードおよびフリーモードの中で切り換える。具体的には、移動体７１がエレベータロープ３に取り付けられた状態で、操作レバー７５の先端部が基端部よりも上方に位置する場合には、エレベータ用ロープテスタ装置７のモードがフリーモードとなり、操作レバー７５の先端部が基端部よりも下方に位置する場合には、エレベータ用ロープテスタ装置７のモードが測定モードとなり、操作レバー７５の先端部が基端部と同じ高さにある場合には、エレベータ用ロープテスタ装置７のモードが停止モードとなる。
【００２５】
図２に示すように、作業者が操作ロープ７６を操作することによって、操作レバー７５が操作され、エレベータ用ロープテスタ装置７のモードが切り替えられる。
【００２６】
次に、エレベータ用ロープテスタ装置７を用いてエレベータロープ３を点検する手順について説明する。まず、図１に示すように、かご１を最上階に停止させる。その後、エレベータ用ロープテスタ装置７のモードを測定モードにした状態で、エレベータロープ３におけるかご側吊車５と巻上機用綱車４１との間の部分の最上部に移動体７１を取り付ける。作業者による移動体７１の把持が解除されると、移動体７１は、自重によって、エレベータロープ３に沿って降下する。この時、距離測定装置７２はエレベータロープ３に対する移動体７１の移動距離を測定し、ロープテスタ７３はエレベータロープ３を磁化させてエレベータロープ３における損傷部からの漏洩磁束を測定する。ロープテスタ７３の測定結果は、距離測定装置７２の測定結果に対応させて記憶装置７４に記憶される。
【００２７】
移動体７１が巻上機用綱車４１に到達した後、作業者は、操作ロープ７６を少しだけ引き上げて操作レバー７５を操作し、エレベータ用ロープテスタ装置７のモードを測定モードからフリーモードにする。エレベータ用ロープテスタ装置７のモードをフリーモードにした状態で、移動体７１がかご側吊車５に到達するまで作業者が操作ロープ７６を引き上げる。
【００２８】
その後、エレベータ用ロープテスタ装置７のモードを測定モードにした状態で、移動体７１をエレベータロープ３におけるつり合い重り側吊車６と巻上機用綱車４１の間の部分の最上部に取り付ける。作業者による移動体７１の把持が解除されると、移動体７１は、自重によって、エレベータロープ３に沿って降下する。この時、距離測定装置７２はエレベータロープ３に対する移動体７１の移動距離を測定し、ロープテスタ７３はエレベータロープ３を磁化させてエレベータロープ３における損傷部からの漏洩磁束を測定する。ロープテスタ７３の測定結果は、距離測定装置７２の測定結果に対応させて記憶装置７４に記憶される。
【００２９】
移動体７１が巻上機用綱車４１に到達した後、作業者は操作ロープ７６を少しだけ引き上げて操作レバー７５を操作し、エレベータ用ロープテスタ装置７のモードを測定モードからフリーモードにする。エレベータ用ロープテスタ装置７のモードをフリーモードにした状態で、移動体７１がつり合い重り側吊車６に到達するまで作業者が操作ロープ７６を引き上げる。
【００３０】
その後、エレベータ用ロープテスタ装置７のモードを測定モードにした状態で、移動体７１をエレベータロープ３におけるつり合い重り側吊車６とつり合い重り用支持車２２との間の部分の最上部に取り付ける。作業者による移動体７１の把持が解除されると、移動体７１は、自重によって、エレベータロープ３に沿って降下する。この時、距離測定装置７２はエレベータロープ３に対する移動体７１の移動距離を測定し、ロープテスタ７３はエレベータロープ３を磁化させてエレベータロープ３における損傷部からの漏洩磁束を測定する。ロープテスタ７３の測定結果は、距離測定装置７２の測定結果に対応させて記憶装置７４に記憶される。
【００３１】
移動体７１がつり合い重り用支持車２２に到達した後、作業者は操作ロープ７６を少しだけ引き上げて操作レバー７５を操作し、エレベータ用ロープテスタ装置７のモードを測定モードからフリーモードにする。エレベータ用ロープテスタ装置７のモードをフリーモードにした状態で、移動体７１がつり合い重り側吊車６に到達するまで作業者が操作ロープ７６を引き上げる。
【００３２】
その後、エレベータ用ロープテスタ装置７のモードを測定モードにした状態で、移動体７１をエレベータロープ３における天井１０１側端部とつり合い重り用支持車２２との間の部分の最上部に取り付ける。作業者による移動体７１の把持が解除されると、移動体７１は、自重によって、エレベータロープ３に沿って降下する。この時、距離測定装置７２はエレベータロープ３に対する移動体７１の移動距離を測定し、ロープテスタ７３はエレベータロープ３を磁化させてエレベータロープ３における損傷部からの漏洩磁束を測定する。ロープテスタ７３の測定結果は、距離測定装置７２の測定結果に対応させて記憶装置７４に記憶される。
【００３３】
移動体７１がつり合い重り用支持車２２に到達した後、作業者は操作ロープ７６を少しだけ引き上げて操作レバー７５を操作し、エレベータ用ロープテスタ装置７のモードを測定モードからフリーモードにする。エレベータ用ロープテスタ装置７のモードをフリーモードにした状態で、移動体７１が天井１０１側端部に到達するまで作業者が操作ロープ７６を引き上げる。
【００３４】
その後、エレベータ用ロープテスタ装置７のモードを停止モードにした状態で、移動体７１をエレベータロープ３における天井１０１側端部とかご用支持車１２との間の部分の最上部に取り付ける。
【００３５】
その後、図７に示すように、かご１を最下階に停止させる。その後、作業者は、操作ロープ７６を少しだけ引き下げて操作レバー７５を操作し、エレベータ用ロープテスタ装置７のモードを停止モードから測定モードにする。エレベータ用ロープテスタ装置７のモードが測定モードになることにより、移動体７１は、自重によって、エレベータロープ３に沿って降下する。この時、距離測定装置７２はエレベータロープ３に対する移動体７１の移動距離を測定し、ロープテスタ７３はエレベータロープ３を磁化させてエレベータロープ３における損傷部からの漏洩磁束を測定する。ロープテスタ７３の測定結果は、距離測定装置７２の測定結果に対応させて記憶装置７４に記憶される。以上により、エレベータ用ロープテスタ装置７を用いてエレベータロープ３を点検が終了する。
【００３６】
以上説明したように、この発明の実施の形態１に係るエレベータ用ロープテスタ装置７によれば、エレベータロープ３に沿って移動する移動体７１と、移動体７１に設けられ、エレベータロープ３に対する移動体７１の移動距離を測定する距離測定装置７２と、移動体７１に設けられ、エレベータロープ３を磁化させてエレベータロープ３における損傷部からの漏洩磁束を測定するロープテスタ７３とを備え、移動体７１がエレベータロープ３に沿って移動しながら、距離測定装置７２が移動距離を測定し、ロープテスタ７３が漏洩磁束を測定するので、エレベータ用ロープテスタ装置７を機械室に設置することなく、エレベータロープ３における損傷部を検出することができる。これにより、ロープ点検の作業効率を向上させることができる。また、作業者が、ロープテスタ７３を把持し、把持されたロープテスタ７３をエレベータロープ３に当てながらロープテスタ７３をエレベータロープ３に沿って移動させる従来の方法では、作業者の手の届く範囲でのみ損傷部からの漏洩磁束を測定するのに対して、このエレベータ用ロープテスタ装置７は、エレベータロープ３の高さ方向範囲において損傷部からの漏洩磁束を測定することができるので、ロープ点検の作業効率を向上させることができ、一人の作業者がかご上で作業を行うことができる。また、エレベータロープ３を移動させることなく損傷部からの漏洩磁束を測定することができるので、エレベータロープ３を移動させることによるエレベータロープ３の振動の発生を抑制することができる。これにより、損傷部からの漏洩磁束の測定の精度を向上させることができる。
【００３７】
また、このエレベータ用ロープテスタ装置７は、移動体７１が自重によってエレベータロープ３における高さ方向に延びた部分に沿って降下しながら、距離測定装置７２が移動距離を測定し、ロープテスタ７３が漏洩磁束を測定するので、移動体７１を移動させるための駆動装置を用いることなく、ロープ点検を行うことができる。
【００３８】
また、距離測定装置７２は、エレベータロープ３の長手方向に離れて設けられた一対の押えローラ７２１と、長手方向について一対の押えローラ７２１の間に設けられ、長手方向に視た場合にエレベータロープ３の径方向について一対の押えローラ７２１との間にエレベータロープ３が挟まれる距離測定ローラ７２２とを備え、距離測定ローラ７２２は、長手方向に視た場合に径方向について一対の押えローラ７２１との間の寸法が変化可能となっているので、径方向寸法が異なる複数のエレベータロープ３のそれぞれに対応して、一対の押えローラ７２１と距離測定ローラ７２２との間の距離を変化させることができる。
【００３９】
また、このエレベータ用ロープテスタ装置７は、ロープテスタ７３の測定結果を距離測定装置７２の測定結果に対応させて記憶する記憶装置７４を備えているので、ロープ点検後に、記憶装置７４から距離測定装置７２の測定結果に対応したロープテスタ７３の測定結果を取得することができる。
【００４０】
なお、上記実施の形態１では、移動体７１が自重によってエレベータロープ３における高さ方向に延びた部分に沿って降下しながら、距離測定装置７２が移動距離を測定し、ロープテスタ７３が漏洩磁束を測定する構成について説明したが、エレベータロープ３に沿って移動体７１を移動させる駆動装置をさらに備えた構成であってもよい。
【００４１】
また、上記実施の形態１では、移動体７１が自重によってエレベータロープ３における高さ方向に延びた部分に沿って降下しながら、距離測定装置７２が移動距離を測定し、ロープテスタ７３が漏洩磁束を測定する構成について説明したが、移動体７１が往復しながら、距離測定装置７２が移動距離を測定し、ロープテスタ７３が漏洩磁束を測定する構成であってもよい。これにより、ロープテスタ７３による漏洩磁束の測定結果の精度を向上させることができる。
【００４２】
また、上記実施の形態１では、複数本のエレベータロープ３の中で１本ずつ損傷部における漏洩磁束を測定する構成について説明したが、複数本のエレベータロープ３について同時に損傷部からの漏洩磁束を測定する構成であってもよい。これにより、ロープ点検の作業時間を短縮することができる。
【符号の説明】
【００４３】
１  かご、２  つり合い重り、３  エレベータロープ、４  巻上機、５  かご側吊車、６  つり合い重り側吊車、７  エレベータ用ロープテスタ装置、１１  かご本体、１２  かご用支持車、２１  つり合い重り本体、２２  つり合い重り用支持車、４１  巻上機用綱車、７１  移動体、７２  距離測定装置、７３  ロープテスタ、７４  記憶装置、７５  操作レバー、７６  操作ロープ、１００  昇降路、１０１  天井、１０２  床、７１１  移動体本体、７１２  回動部、７１３  溝、７１４  溝、７１５  ロック、７２１  押えローラ、７２２  距離測定ローラ、７２３  減速ローラ、７２４  回転数測定装置、７２５  移動距離算出装置。
【図１】
2017039559.tif 000003
【図２】
2017039559.tif 000004
【図３】
2017039559.tif 000005
【図４】
2017039559.tif 000006
【図５】
2017039559.tif 000007
【図６】
2017039559.tif 000008
【図７】
2017039559.tif 000009